(57)【要約】【課題】  複数の光源を備える携帯型電子機器において、小型化、低コスト化が容易な簡単な構成であり、かつ、耐衝撃性にも優れる携帯型電子機器の構成を提供する。【解決手段】    携帯型電子機器は、内蔵カメラユニットと、照光用レンズの出射面裏側に配設された内蔵カメラ用光源と、前記内蔵カメラ用光源と並設された装置状態表示用光源と、前記照光用レンズを保持するレンズ保持部品とを備える。前記レンズ保持部品は、前記内蔵カメラ用光源と装置状態表示用光源から離れた所定の位置に前記照光用レンズを保持するとともに、前記内蔵カメラ用光源と装置状態表示用光源を収納する閉空間を形成する。この構成によって、前記内蔵カメラ用光源と装置状態表示用光源からの光は単一の照光用レンズからそれぞれ出射される。【選択図】  図３
2006101158.tif 000002
【特許請求の範囲】
【請求項１】
単一の照光用レンズを有する携帯型電子機器において、
並設された第１、第２の光源と、
前記第１、第２の光源から離れた所定の位置に前記照光用レンズを保持するともに、前記第１、第２の光源を収納する閉空間を形成するレンズ保持部品とを備え、
前記第１、第２の光源からの光を前記照光用レンズからそれぞれ出射可能としたこと、
を特徴とする携帯型電子機器。
【請求項２】
請求項１に記載の携帯型電子機器において、更に、内蔵カメラユニットを備え、
前記第１の光源は、内蔵カメラ用の発光ダイオードであり、前記第２の光源は、装置状態表示用の発光ダイオードであること、
を特徴とする携帯型電子機器。
【請求項３】
請求項２に記載の携帯型電子機器において、
前記照光用レンズの出射面裏側に前記第１の光源を配設し、
照光用レンズを前記内蔵カメラユニットの上方に位置させた状態に保持して撮像可能となるように、前記照光用レンズと内蔵カメラユニットとをそれぞれ配置したこと、
を特徴とする携帯型電子機器。
【請求項４】
請求項２又は３に記載の携帯型電子機器において、
前記第１の光源は、前記第２の光源より、前記照光用レンズに近接した位置に発光面を有すること、
を特徴とする携帯型電子機器。
【請求項５】
請求項１乃至４いずれか一に記載の携帯型電子機器において、
前記照光用レンズは、遮光部材によって遮光される領域を有し、
前記第２の光源は、前記遮光部材の裏側に配設されること、
を特徴とする携帯型電子機器。
【請求項６】
請求項５に記載の携帯型電子機器において、
携行用に折り畳み可能であって、折り畳んだ状態において、
前記遮光部材と前記第２の光源は、前記カメラ付き携帯型電子機器の中心側に配置され、
前記第２の光源からの光が、前記携帯型電子機器の端部に向かって、前記照光用レンズに入射すること、
を特徴とする携帯型電子機器。
【発明の詳細な説明】
【技術分野】
【０００１】
本発明は、携帯型電子機器に関し、特に、複数の光源を備えた携帯型電子機器に関する。
【背景技術】
【０００２】
近年、携帯電話機等の携帯型電子機器において、複数の光源を備えたものが一般化しつつある。例えば、カメラ付きの携帯型電話端末において、着信等の装置状態を知らせるＬＥＤに加えて、暗闇でも撮影できるようにカメラ用フラッシュライトを備えたタイプも製品化されるなど、一層の多機能化が進んでいる。他方、これら携帯型電子機器の小型化・低コスト化への要請も、依然として大きなものとなっている。
【０００３】
図４乃至図７は、上述したＬＥＤに加えてカメラ用のフラッシュライトを備えたタイプの携帯型電話端末の一例を示した図面である。図４の携帯型電話端末の液晶表示装置側ケースの背面図、図５の同分解斜視図を参照すると、この携帯型電話端末は、（内蔵）カメラユニット１１２を有し、またフロントケース１０１、リアケース１０２との間の回路基板１０７上に、光源である着信用ＬＥＤ１０８とカメラ用ライト１０９を搭載している。図６は、図４のＡ−Ａ間の断面図であり、カメラライト用レンズ１０６は、カメラライト用レンズ保持部品１０５によって、リアケース１０２に保持されている。また図７は、図４のＢ−Ｂ間の断面図であり、着信ＬＥＤ用レンズ１０３は、着信ＬＥＤ用レンズ保持部品１０４によって、リアケース１０２に保持されている。この構成により、着信ＬＥＤ用レンズ１０３とカメラライト用レンズ１０６を介して、着信用ＬＥＤ１０８とカメラ用ライト１０９からの光がそれぞれ各別に照射されることとなっている。
【０００４】
しかしながら、このような従来構成では、単純に光源一つ分の実装領域の増加、及び部品点数の増加を伴ってしまい、携帯型電子機器の小型化、低コスト化が難しくなってしまう。そこで例えば、特開２００３−３３３１５５号公報には、着信ランプとカメラ用フラッシュとして、ＲＧＢ３色の発光ダイオードを用いるタイプの携帯電話機が紹介されている。
【０００５】
【特許文献１】特開２００３−３３３１５５号公報
【発明の開示】
【発明が解決しようとする課題】
【０００６】
特開２００３−３３３１５５号公報は装置状態表示用の光源と内蔵カメラのフラッシュの光源を兼用する構成を開示しているが、それぞれの用途に求められる光量、光色、発光位置、照射角等が異なること、そして、レンズの価格等を考慮すると、各用途に適した光源を用意し、それぞれの用途に適した位置に配置する方がより好ましいと考えられる。そして、複数種の発光ダイオード等をまとめて配設する場合、一の発光ダイオードからの光が他の発光ダイオードに入射し、意図しない発光が行われることを抑止する必要がある。
【０００７】
更に携帯型電子機器の特性を考慮すると、上記した部品点数の削減や実装効率の向上を図るとともに、耐衝撃性にも優れる構成であることが望まれる。特開２００３−３３３１５５号公報記載の方式でも、発光ダイオード前面に直接レンズを取り付ける構成を開示しているが、レンズに対する外部衝撃に弱いと考えられる。
【０００８】
本発明は、上記した各事情に鑑みてなされたものであって、複数の光源を備える携帯型電子機器において、小型化、低コスト化が容易な簡単な構成であり、かつ、耐衝撃性にも優れる携帯型電子機器の構成を提供することを目的とする。
【課題を解決するための手段】
【０００９】
前記課題を解決するための手段を提供する本発明の第１の視点によれば、単一の照光用レンズを有する携帯型電子機器において、並設された第１、第２の光源と、前記第１、第２の光源から離れた所定の位置に前記照光用レンズを保持するともに、前記第１、第２の光源を収納する閉空間を形成するレンズ保持部品とを備え、前記第１、第２の光源からの光を単一の照光用レンズからそれぞれ出射可能としたことを特徴とする携帯型電子機器が提供される。
【００１０】
また本発明の第２の視点によれば、内蔵カメラユニットと単一の照光用レンズとを有するカメラ付き携帯型電子機器において、照光用レンズの出射面裏側に配設された内蔵カメラ用光源と、前記内蔵カメラ用光源と並設された装置状態表示用光源と、前記照光用レンズを保持するレンズ保持部品とを備えるカメラ付き携帯型電子機器が提供される。そして、前記レンズ保持部品は、前記内蔵カメラ用光源と装置状態表示用光源から離れた所定の位置に前記照光用レンズを保持するともに、前記内蔵カメラ用光源と装置状態表示用光源を収納する閉空間を形成する。この構成によって、前記内蔵カメラ用光源と装置状態表示用光源からの光は単一の照光用レンズからそれぞれ出射される。好ましくは、前記照光用レンズと内蔵カメラユニットは、目標をやや上方から照らして撮像可能となるように、前記照光用レンズを前記内蔵カメラユニットの上方に位置させた状態で撮像できるような位置に配置される。
【００１１】
また本発明の第３の視点によれば、上記した携帯型電子機器において、遮光部材によって遮光される領域を有する照光用レンズを有し、前記遮光部材の裏側に前記第２の光源又は装置状態表示用光源を配設したカメラ付き携帯型電子機器が提供される。
【発明の効果】
【００１２】
本発明によれば、小型化、低コスト化が容易な簡単な構成であって、耐衝撃性にも優れ、複数の光源を利用したフラッシュ機能や装置状態表示機能を実現可能な携帯型電子機器が提供される。
【発明を実施するための最良の形態】
【００１３】
続いて、本発明をカメラ付き携帯型電話端末に適用した好適な実施の形態について説明する。まず、本実施の形態に係るカメラ付き携帯型電話端末の概要を説明する。本実施の形態に係るカメラ付き携帯型電話端末は、発番号等を入力するための操作部、マイク等が備えられた本体側ケース（下部筐体）と、液晶表示装置、スピーカ等が備えられた液晶表示装置側ケース（上部筐体）とから構成されている。本体側ケース（下部筐体）と液晶表示装置側ケース（上部筐体）は、操作部や液晶表示装置が内側になるようにヒンジを介して連結されており、携行時には折畳み、また、通話等を行う場合には主として開いて使用するものとなっている。
【００１４】
図１は、本発明の一実施の形態に係るカメラ付き携帯型電話端末の背面図である。図１を参照すると、本実施の形態に係るカメラ付き携帯型電話端末は、液晶表示装置側ケース（上部筐体）のリアケース２の下方（図１の右方）側に（内蔵）カメラユニット１２が配置されている。また、（内蔵）カメラユニット１２の左側に照光用レンズ３が配置されており、携帯型電話端末を立てた状態でカメラ機能を使用する際に、照光用レンズ３がカメラユニット１２の上方に位置するようになっている。
【００１５】
図２は、図１のカメラ付き携帯型電話端末の液晶表示装置側ケース（上部筐体）の分解斜視図である。図２を参照すると、回路基板７上には、着信したことをユーザに知らせるための着信用ＬＥＤ５とカメラ用ライト６とが近接した状態で搭載されている。照光用レンズ３は、携帯型電話端末の長手方向軸に線対称のやや縦長の形状となっており、レンズ保持部品４に組みつけられた後、リアケース２の照光用レンズ３用の孔の位置に保持され、その他図示しない液晶表示装置を構成する部材とともに、フロントケース１、リアケース２との間に挟持される。
【００１６】
図３は、図１のＡ−Ａ間の断面図である。照光用レンズ３は、照光部８と、リアケース２の遮光部１３によって遮光される部分とを有し、乳白色の素材や拡散剤入りの素材等の光をムラなく導光させられるような素材によって構成される。照光部８は、出射面を構成し、着信用ＬＥＤ５とカメラ用ライト６から発せられた光を照射することが可能となっている。
【００１７】
レンズ保持部品４は、照光用レンズ３に適合するようやや縦長の角筒状に構成されている。レンズ保持部品４の内側には、照光用レンズ３の周縁部と適合する溝部９が設けられ、照光用レンズ３を嵌め込んで、保持可能となっている。また、レンズ保持部品４の外周部には、照光用レンズ３をリアケース２側に固着するための穴部（図２の１０）が設けられており、照光用レンズ３をリアケース２の表面に保持可能となっている。また、レンズ保持部品４は、外周に設けられた壁部１１により、着信用ＬＥＤ５とカメラ用ライト６を囲繞し、両者と共通して内包する中空の閉空間（導光空間）を構成している。
【００１８】
着信用ＬＥＤ５はカラフルな色を発光できるようＲＧＢ３色の素子、あるいはこれらのいずれかで構成され、図３の方向αから見て、照光部８の外周よりも外側に設置される。これにより方向αから照光部８を見たとしても、着信用ＬＥＤ５が目玉になって見えることを防ぐことができる。またより好ましくは、着信用ＬＥＤ５は、図３に示されたように本体を立ててみた場合の照光部８の下側（図３の遮光部１３の裏側）に配置され、レンズを透過した光が斜め上方を指向するように配置される。このようにすれば、携帯型電話端末リアケース２端部の曲面形状、やや窪んだ位置に配設されるカメラユニット１２の保護カバー、これに対して突出した位置に配設される照光用レンズの位置と相俟って、携帯型電話端末のヒンジ側を上にして折り畳んでポケットに収納したときの着信発光の視認性が向上する。
【００１９】
また、図３に示されたように着信用ＬＥＤ５を構成する素子は、カメラ用ライト６のものよりも薄いものが用いられている。即ち、その出射面が、カメラ用ライト６の出射面よりも回路基板７側となる（照光用レンズ３から離れている）よう構成する。これによって、着信用ＬＥＤ５からの光が照光用レンズ３等で反射し、カメラ用ライト６を構成する素子に入射し、その反射光によって、照光部８が意図しない発色となって表れる事態を抑止することができる。
【００２０】
一方、カメラ用ライト６は、主として暗闇時にカメラ撮影する場合にフラッシュライトとして使用されるものであるため、着信用ＬＥＤ５よりも強い光を発するような素子で構成され、出射面を構成する照光部８の裏側（図３の方向αから見て真下）に設置される。
【００２１】
続いて、上記構成によって、着信時に、着信用ＬＥＤ５から発する光を照光用レンズ３に導光させる場合の動作について説明する。図３に示されたように、着信用ＬＥＤ５は、レンズ保持部品４が有する壁部１１に囲まれているため、着信用ＬＥＤ５から発せられた光は、壁部１１に囲まれた空間の中を効率良く導光できるものとなっている。また、上述のとおり照光用レンズ３は、光をムラなく導光させられるような乳白色や拡散材入りの素材でできており、着信用ＬＥＤ５は照光部８直下よりも外側の、リアケース２の遮光部１３によって遮光される位置に配置されているため、着信発光した場合に、ＲＧＢ素子を視認できてしまい、それが目玉のように見えてしまうこともない。
【００２２】
また、上記構成によって、カメラ撮影時に、カメラ用ライト６から発する光を照光用レンズ３に導光させる場合の動作について説明すると、カメラ用ライト６も、図３に示されたように、レンズ保持部品４が有する壁部１１中央に配置されているため、壁部１１に囲まれて、効率良く導光できるものとなっている。また、またカメラ用ライト６が照光部８の真下に設置されているものの、上述のとおり照光用レンズ３は、光をムラなく導光させられるような乳白色や拡散材入りの素材でできており、カメラ用ライト６は着信用ＬＥＤ５よりも光が強いため、目玉としては見えにくく、かつ、ダイレクトに目標物を照射できるようになっている。
【００２３】
また上記着信用ＬＥＤ５に、異なる照射パターンにて点灯させて、未読メール等の蓄積や留守番メッセージの受付、電池状態などのその他携帯型電話端末の装置や通信の状態等を表示させることとしてもよい。また、カメラ用ライト６が発する光量が不足する場合には、上記着信用ＬＥＤ５を点灯してこれを補わせることも可能である。また逆に、上記着信用ＬＥＤ５の代わりに、カメラ用ライト６を代用として使うことも可能である。
【００２４】
このようにして、１つの照光用レンズ３と、レンズ保持部品４の壁部１１により囲まれた閉空間（導光空間）を備えることにより、着信用ＬＥＤ５とカメラ用ライト６の２つの光源をそれぞれ効率良く照光させることができる。
【００２５】
また、上記実施の形態において開示された光源とカメラユニットの配置によれば、携帯型電話端末のヒンジを開状態にしてカメラを使用する際に、カメラの上にフラッシュを位置させることのできる好ましい配置が得られる。この配置によれば、被写体の後ろの壁などに”影（被写体の影）”が写り込んでも、影が下側方向となるため画像に違和感がないといった顕著な効果が得られている。
【００２６】
また、上記した実施の形態では、本発明をカメラ付き携帯型電話端末に適用した例を示したが、その他の複数の光源を備える携帯型電子機器にも遍く適用できることは勿論である。また、着信用ＬＥＤ５、カメラ用ライト６に限らず、目的の異なった複数のライト（発光素子）を１つのレンズで照光させることができるものであるため、複数ライトの同時照光や時間差照光等によって、ごく限られた部品点数で、豊富な状態表示等を行うことが可能となる。
【図面の簡単な説明】
【００２７】
【図１】本発明の一実施の形態に係るカメラ付き携帯型電話端末の背面図である。
【図２】本発明の一実施の形態に係るカメラ付き携帯型電話端末の分解斜視図である。
【図３】図１のＡ−Ａ間の断面図である。
【図４】従来のカメラ付き携帯型電話端末の背面図である。
【図５】従来のカメラ付き携帯型電話端末の分解斜視図である。
【図６】図４のＡ−Ａ間の断面図である。
【図７】図４のＢ−Ｂ間の断面図である。
【符号の説明】
【００２８】
１、１０１  フロントケース
２、１０２  リアケース
３  照光用レンズ
４  レンズ保持部品
５、１０８  着信用ＬＥＤ
６、１０９  カメラ用ライト
７、１０７  回路基板
８  照光部
９  溝部
１０  穴部
１１  壁部
１２、１１２  （内蔵）カメラユニット
１３  遮光部
１０３  着信ＬＥＤ用レンズ
１０４  着信ＬＥＤ用レンズ保持部品
１０５  カメラライト用レンズ保持部品
１０６  カメラライト用レンズ
【図１】
2006101158.tif 000003
【図２】
2006101158.tif 000004
【図３】
2006101158.tif 000005
【図４】
2006101158.tif 000006
【図５】
2006101158.tif 000007
【図６】
2006101158.tif 000008
【図７】
2006101158.tif 000009